(57)【要約】【課題】電池の電圧値低下時においても、電話以外の電話帳やスケジューラなどの機能を使用可能にする携帯電話機を提供する。【解決手段】基地局を介して外部の電話機と通信するための無線部１１０と、無線部１１０より電流消費量の少ない機能が動作可能な電圧値である規定値を予め格納し、その規定値よりも電池の電圧値が小さいことを示すフラグ情報を格納するための不揮発メモリ１０２と、電池の電圧値を測定し、その電圧値をデジタルデータに変換するＡ／Ｄコンバータ１０５と、Ａ／Ｄコンバータ１０５から電池の電圧値の情報を受信すると、受信した電圧値と規定値を比較し、電圧値が規定値より小さい場合、不揮発メモリ１０２にフラグ情報を格納するとともに無線部１１０に供給する電源をオフにするプロセッサ１０１とを有する構成である。【選択図】  図１
2004153401.tif 000002
【特許請求の範囲】
【請求項１】
基地局を介して外部の電話機と通信するための無線部と、
前記無線部より電流消費量の少ない機能が動作可能な電圧値である規定値を予め格納し、該規定値よりも電池の電圧値が小さいことを示すフラグ情報を格納するための不揮発メモリと、
前記電池の電圧値を測定し、該電圧値をデジタルデータに変換するＡ／Ｄコンバータと、
前記Ａ／Ｄコンバータから前記電池の電圧値の情報を受信すると、受信した電圧値と前記規定値を比較し、該電圧値が前記規定値より小さい場合、前記不揮発メモリに前記フラグ情報を格納するとともに前記無線部に供給する電源をオフにするプロセッサと、
を有する携帯電話機。
【請求項２】
前記電池がはずされたことを検出する電池はずれ検出手段と、
前記電池が充電されたことを検出する充電検出手段とを備え、
前記プロセッサは、
本体の電源がオンされると、前記Ａ／Ｄコンバータから受信した前記電池の電圧値と前記規定値を比較し、該電圧値が前記規定値より大きければ、前記電池がはずされたか否かを前記電池はずれ検出手段に確認すると共に前記電池が充電されたか否かを前記充電検出手段に確認し、前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持する請求項１記載の携帯電話機。
【請求項３】
基地局を介して外部の電話機と通信するための無線部、および不揮発メモリを有する携帯電話機における省電力方法であって、
予め、電池の電圧値を測定し、該電圧値をデジタルデータに変換するＡ／Ｄコンバータを備え、
前記不揮発メモリに前記無線部より電流消費量の少ない機能が動作可能な電圧値である規定値を格納し、
前記Ａ／Ｄコンバータから前記電池の電圧値の情報を受信すると、受信した電圧値と前記規定値を比較し、
受信した電圧値が前記規定値より小さければ、前記不揮発メモリに前記規定値よりも電池の電圧値が小さいことを示すフラグ情報を格納するとともに前記無線部に供給する電源をオフにする省電力方法。
【請求項４】
予め、前記電池がはずされたことを検出する電池はずれ検出手段と、
前記電池が充電されたことを検出する充電検出手段とを備え、
本体の電源がオンされると、前記Ａ／Ｄコンバータから受信した前記電池の電圧値と前記規定値を比較し、
前記電池の電圧値が前記規定値より大きければ、前記電池がはずされたか否かを前記電池はずれ検出手段に確認すると共に前記電池が充電されたか否かを前記充電検出手段に確認し、
前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持する請求項３記載の省電力方法。
【請求項５】
基地局を介して外部の電話機と通信するための無線部、および不揮発メモリを有する携帯電話機に備えたプロセッサに実行させるためのプログラムであって、
予め、電池の電圧値を測定し、該電圧値をデジタルデータに変換するＡ／Ｄコンバータを備え、
前記不揮発メモリに前記無線部より電流消費量の少ない機能が動作可能な電圧値である規定値を格納し、
前記Ａ／Ｄコンバータから前記電池の電圧値の情報を受信すると、受信した電圧値と前記規定値を比較し、
受信した電圧値が前記規定値より小さければ、前記不揮発メモリに前記規定値よりも電池の電圧値が小さいことを示すフラグ情報を格納するとともに前記無線部に供給する電源をオフにする処理を前記プロセッサに実行させるためのプログラム。
【請求項６】
予め、前記電池がはずされたことを検出する電池はずれ検出手段と、
前記電池が充電されたことを検出する充電検出手段とを備え、
本体の電源がオンされると、前記Ａ／Ｄコンバータから受信した前記電池の電圧値と前記規定値を比較し、
前記電池の電圧値が前記規定値より大きければ、前記電池がはずされたか否かを前記電池はずれ検出手段に確認すると共に前記電池が充電されたか否かを前記充電検出手段に確認し、
前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持する処理を前記プロセッサに実行させるための請求項５記載のプログラム。
【発明の詳細な説明】
【０００１】
【発明の属する技術分野】
本発明は、電話としての機能の他に、電話帳などの機能を備えた携帯電話機、携帯電話機の省電力方法、および携帯電話機で実行されるプログラムに関する。
【０００２】
【従来の技術】
携帯電話機には、高機能化により、電話機能だけでなく、電話帳の機能を備えたものがある（例えば、特許文献１参照）。また、電話帳だけでなく、スケジュール管理のためのスケジューラの機能を備えたものもある。操作者は、携帯電話機を常に持ち歩き、携帯電話機で電話をかけることがなくても、電話帳およびスケジューラを利用することが多い。
【０００３】
【特許文献１】
実開平５−２８１５０号公報
【０００４】
【発明が解決しようとする課題】
上述の携帯電話機では、電池が切れた場合、携帯電話機の電話帳を利用できなくなるため、電話番号を調べることができず、公衆電話など他の電話機があっても電話をかけることができなくなる。また、スケジューラを使用できなくなるため、スケジュール表を開くことができず、予定を確認できなくなる。このように、電話帳およびスケジューラを利用できなくなると、非常に不便になるという問題がある。操作者には、携帯電話機の電話機能を利用できなくても、電話帳およびスケジューラを利用できるようにしたいという要望がある。
【０００５】
上記問題に対して、携帯電話機の電池切れを未然に防ぐために、電池の残り容量を電圧値から推測して操作者に知らせるための工夫がなされている。しかし、電池の残り容量を電圧値から推測する場合、周囲の温度、負荷、経年変化などのさまざまな要因で、正確に推測するのは困難である。
【０００６】
特に、電池が低電圧になった時に電源をしばらくオフ状態にした後、電源をオンすると、充電をしていないにもかかわらず電圧値が回復していることがある。この場合、電池の電圧値が一旦回復しているが、実際は残り容量が少なくなっており、電話の通信のための無線部を動作させてしまうと、自分の位置を登録するための信号を基地局に定期的に送信するだけで電流を多く消費し、電池容量が早く低下する。
【０００７】
また、携帯電話機の製品として動作可能な時間を保証するために、最大負荷を考慮して、強制的に本体の電源を切る電圧となる電池切れ判定電圧が高めに設定されている。そのため、電池の低電圧時に、無線部を動作させると、電池の消耗を早めて、電圧が電池切れ判定電圧まですぐに低下してしまうという問題があった。
【０００８】
本発明は上記したような従来の技術が有する問題点を解決するためになされたものであり、電池の電圧値低下時においても、電話以外の電話帳やスケジューラなどの機能を使用可能にする携帯電話機、省電力方法、および携帯電話機で実行されるプログラムを提供することを目的とする。
【０００９】
【課題を解決するための手段】
上記目的を達成するための本発明の携帯電話機は、基地局を介して外部の電話機と通信するための無線部と、
前記無線部より電流消費量の少ない機能が動作可能な電圧値である規定値を予め格納し、該規定値よりも電池の電圧値が小さいことを示すフラグ情報を格納するための不揮発メモリと、
前記電池の電圧値を測定し、該電圧値をデジタルデータに変換するＡ／Ｄコンバータと、
前記Ａ／Ｄコンバータから前記電池の電圧値の情報を受信すると、受信した電圧値と前記規定値を比較し、該電圧値が前記規定値より小さい場合、前記不揮発メモリに前記フラグ情報を格納するとともに前記無線部に供給する電源をオフにするプロセッサと、
を有する構成である。
【００１０】
この場合、前記電池がはずされたことを検出する電池はずれ検出手段と、
前記電池が充電されたことを検出する充電検出手段とを備え、
前記プロセッサは、
本体の電源がオンされると、前記Ａ／Ｄコンバータから受信した前記電池の電圧値と前記規定値を比較し、該電圧値が前記規定値より大きければ、前記電池がはずされたか否かを前記電池はずれ検出手段に確認すると共に前記電池が充電されたか否かを前記充電検出手段に確認し、前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持することとしてもよい。
【００１１】
一方、上記目的を達成するための本発明の省電力方法は、基地局を介して外部の電話機と通信するための無線部、および不揮発メモリを有する携帯電話機における省電力方法であって、
予め、電池の電圧値を測定し、該電圧値をデジタルデータに変換するＡ／Ｄコンバータを備え、
前記不揮発メモリに前記無線部より電流消費量の少ない機能が動作可能な電圧値である規定値を格納し、
前記Ａ／Ｄコンバータから前記電池の電圧値の情報を受信すると、受信した電圧値と前記規定値を比較し、
受信した電圧値が前記規定値より小さければ、前記不揮発メモリに前記規定値よりも電池の電圧値が小さいことを示すフラグ情報を格納するとともに前記無線部に供給する電源をオフにするものである。
【００１２】
この場合、予め、前記電池がはずされたことを検出する電池はずれ検出手段と、
前記電池が充電されたことを検出する充電検出手段とを備え、
本体の電源がオンされると、前記Ａ／Ｄコンバータから受信した前記電池の電圧値と前記規定値を比較し、
前記電池の電圧値が前記規定値より大きければ、前記電池がはずされたか否かを前記電池はずれ検出手段に確認すると共に前記電池が充電されたか否かを前記充電検出手段に確認し、
前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持することとしてもよい。
【００１３】
また、上記目的を達成するための本発明のプログラムは、基地局を介して外部の電話機と通信するための無線部、および不揮発メモリを有する携帯電話機に備えたプロセッサに実行させるためのプログラムであって、
予め、電池の電圧値を測定し、該電圧値をデジタルデータに変換するＡ／Ｄコンバータを備え、
前記不揮発メモリに前記無線部より電流消費量の少ない機能が動作可能な電圧値である規定値を格納し、
前記Ａ／Ｄコンバータから前記電池の電圧値の情報を受信すると、受信した電圧値と前記規定値を比較し、
受信した電圧値が前記規定値より小さければ、前記不揮発メモリに前記規定値よりも電池の電圧値が小さいことを示すフラグ情報を格納するとともに前記無線部に供給する電源をオフにする処理を前記プロセッサに実行させるものである。
【００１４】
この場合、予め、前記電池がはずされたことを検出する電池はずれ検出手段と、
前記電池が充電されたことを検出する充電検出手段とを備え、
本体の電源がオンされると、前記Ａ／Ｄコンバータから受信した前記電池の電圧値と前記規定値を比較し、
前記電池の電圧値が前記規定値より大きければ、前記電池がはずされたか否かを前記電池はずれ検出手段に確認すると共に前記電池が充電されたか否かを前記充電検出手段に確認し、
前記電池がはずされてなく、かつ前記電池が充電されていなければ、前記不揮発メモリに前記フラグ情報が格納されているか否かを調べ、前記フラグ情報が格納されている場合、前記無線部に供給する電源をオフ状態に維持する処理を前記プロセッサに実行させることとしてもよい。
【００１５】
（作用）
上記のように構成される本発明では、電池の電圧値が規定値より小さくなると、無線部に供給する電源をオフにするため、操作者は、無線部の動作を必要とする電話機能を利用できなくても、無線部より電流消費量の少ない電話帳やスケジューラの機能を利用できる。
【００１６】
また、本発明では、本体の電源をオンしたとき、電池の電圧値が規定値より大きければ、電池がはずされたか、電池が充電されたかを調べ、電池がはずされていなくて、かつ電池が充電されていなければ、フラグ情報が格納されているかを調べ、フラグ情報が格納されている場合、無線部に電源が供給されない。そのため、電池の電圧値が一時的に回復して規定値より大きくなったとしても、無線部に電源が供給されず、操作者は無線部より電流消費量の少ない電話帳やスケジューラの機能を利用できる。
【００１７】
【発明の実施の形態】
本発明の携帯電話機の特徴は、電池容量が低下して出力電圧が低くなったとき、電池の電圧値が所定の値より小さいことを示すフラグ情報を格納し、フラグ情報が格納されている場合には、通信のための無線部を使用できなくすることである。
【００１８】
本発明の携帯電話機の実施例について説明する。なお、以下では、本発明の省電力に関連する部分について説明し、通常の電話および電子メールの機能に関する構成の説明は省略する。
【００１９】
図１は本発明の携帯電話機の一構成例を示すブロック図である。
【００２０】
本実施例の携帯電話機は、電話帳およびスケジューラの情報を格納するための不揮発メモリ１０２と、電話番号およびスケジュール表を表示するための表示部１１２と、基地局を介して他の電話機と通信するための無線部１１０と、各部を制御するＭＰＵ１０１と、操作者がＭＰＵ１０１に指示を入力するための操作部１０７と、各部に必要な電源を供給する電源回路１０３と、電源回路１０３に接続された電池１０４とを有する構成である。
【００２１】
不揮発メモリ１０２は電源が切れても格納された情報を保存する。また、予め無線部１１０の電源をオフにする判定電圧値となる規定値を格納し、電池の電圧値が規定値より小さいことを示すフラグ情報をＭＰＵ１０１から受信すると格納する。電池の電圧値が規定値になると、電池の残り容量は、電流消費量の多い無線部１１０を動作させることはできないが、電流消費量の少ない電話帳およびスケジューラの機能のうち少なくともいずれか一つを利用可能にする。
【００２２】
電源回路１０３は、電池の電圧値をデジタル変換するＡ／Ｄコンバータ１０５と、電池交換の際に電池がはずされたことを検出する電池はずれ検出手段１０６とを有する。
【００２３】
Ａ／Ｄコンバータ１０５は信号線１０８を介してＭＰＵ１０１と接続される。Ａ／Ｄコンバータ１０５は、無線部１１０が動作している間、定期的に電池の電圧値を測定し、測定した電圧値をデジタルデータにしてＭＰＵ１０１に送出する。
【００２４】
電池はずれ検出手段１０６は信号線１０９を介してＭＰＵ１０１と接続される。電池はずれ検出手段１０６は揮発性メモリ（不図示）を備え、この揮発性メモリは通電中に予め決められた情報を格納する。電池がはずされると、揮発性メモリに格納されていた情報が消えるため、ＭＰＵ１０１は、決められた情報を揮発性メモリから読み出せなくなることで、電池がはずされたことを認識する。
【００２５】
ＭＰＵ１０１は、プログラムを格納するためのメモリ（不図示）と、プログラム制御により所定の処理を実行するプロセッサ（不図示）とを有する。
【００２６】
ＭＰＵ１０１は、Ａ／Ｄコンバータ１０５から電池の電圧値のデジタルデータを受け取ると、不揮発メモリ１０２に格納された規定値と電圧値を比較し、電圧値が規定値より小さい場合、電圧値が規定値より小さくなったことを示すフラグをセットするために、上記フラグ情報を不揮発メモリ１０２に格納する。
【００２７】
また、電池はずれ検出手段１０６の揮発性メモリ（不図示）に決められた情報が格納されているか否かを調べ、決められた情報が格納されていなければ、電池はずれがあったと認識し、決められた情報を揮発性メモリに改めて格納する。
【００２８】
なお、携帯電話機は、電池１０４が充電されたことを検出する充電検出手段（不図示）を備える。図に示さないコネクタ部に、充電器が接続され、充電器が電池を充電すると、充電検出手段が充電動作を検出する。また、ＭＰＵ１０１から電池が充電されたか否かを問い合わせる旨の信号を受け取ると、充電動作を検出していた場合、電池が充電された旨の信号をＭＰＵ１０１に送出する。
【００２９】
操作部１０７は電源スイッチ（ＳＷ）および番号入力キーなどのボタンを備えている。
【００３０】
次に、上述した構成の携帯電話機による動作手順を説明する。
【００３１】
図２は電源オン時における本実施例の携帯電話機の動作手順を示すフローチャートである。
【００３２】
図２に示すように、操作者が電源ＳＷを押して電源をオンさせると（ステップＳ２００）、ＭＰＵ１０１は、Ａ／Ｄコンバータ１０５に電池の電圧値のデジタルデータを要求する旨の信号を送出する。そして、Ａ／Ｄコンバータ１０５から電圧値のデジタルデータを受け取ると、不揮発メモリ１０２に格納された規定値と電圧値を比較する（ステップＳ２０１）。電圧値が規定値以上であれば、電池はずれ検出手段１０６に電池はずれがあるか否かを調べ（ステップＳ２０２）、電池はずれ検出手段１０６の揮発性メモリ（不図示）に決められた情報が格納されている場合は、電池がはずされなかったと認識し、電池交換がなかったものと判断する。
【００３３】
続いて、ＭＰＵ１０１は、充電検出手段（不図示）に電池が充電されたか否かを問い合わせる旨の信号を送出する（ステップＳ２０３）。充電検出手段（不図示）から電池が充電された旨の信号を受け取らなければ、不揮発メモリ１０２にフラグ情報が格納されているか否かを調べ（ステップＳ２０４）、不揮発メモリ１０２にフラグ情報が格納されている場合は、フラグがセットされていると判断し、無線部１１０を電源オフにした状態に維持する（ステップＳ２０５）。その後、無線部１１０の電源をオンすることなく、電話帳およびスケジューラを含むシステムを起動させる（ステップＳ２０６）。なお、ステップＳ２０５の後、操作者が電話をかけようとして、無線部１１０を動作させようとすると、ＭＰＵ１０１は、無線部１１０が動作しないことを通知するためのメッセージとして、例えば、「発信できません」を表示部１１２に表示させる。
【００３４】
一方、上記ステップＳ２０２で、ＭＰＵ１０１は、電池はずれ検出手段１０６の揮発性メモリ（不図示）に決められた情報が格納されていない場合は、電池がはずされたと認識し、充電された電池と交換されたと判断し、不揮発メモリ１０２にフラグ情報が格納されていればフラグ情報を消去する（ステップＳ２０７）。また、上記ステップＳ２０３で、ＭＰＵ１０１は、充電検出手段（不図示）から電池が充電された旨の信号を受け取った場合、不揮発メモリ１０２にフラグ情報が格納されていればフラグ情報を消去する（ステップＳ２０７）。ステップＳ２０７の後、ＭＰＵ１０１は、無線部１１０を初期化して無線部１１０の電源をオンする（ステップＳ２０８）。
【００３５】
上記ステップＳ２０４で、ＭＰＵ１０１は、不揮発メモリ１０２にフラグ情報が無く、フラグがセットされていないと判断すると、無線部１１０を初期化して無線部１１０の電源をオンする（ステップＳ２０８）。
【００３６】
上記ステップＳ２０８の後、ＭＰＵ１０１は、電話帳およびスケジューラを含むシステムを起動させる（ステップＳ２０６）。
【００３７】
なお、図２に示したステップＳ２０１で、ＭＰＵ１０１は、電池の電圧値が規定値より小さければ、電源との接続を遮断する処理となる電源断処理を行い（ステップＳ２０９）、動作を終了する（ステップＳ２１０）。
【００３８】
次に、着信待ち状態における本実施例の携帯電話機の動作手順について説明する。
【００３９】
図３は着信待ち状態における本実施例の携帯電話機の動作手順を示すフローチャートである。
【００４０】
ＭＰＵ１０１が、図２に示したステップＳ２０８で無線部１１０を初期化して電源をオンすると、無線部１１０は、起動し（ステップＳ２０６）、図３に示すステップＳ３００で動作を開始する。
【００４１】
ＭＰＵ１０１は、不揮発メモリ１０２にフラグ情報が格納されているかを調べ（ステップＳ３０１）、フラグ情報が格納されていない場合、フラグがセットされていないと判断し、無線部１１０を発着信可能な状態にする。
【００４２】
ＭＰＵ１０１は、位置を登録するための登録信号の基地局への発信を無線部１１０に開始させる（ステップＳ３０２）。無線部１１０に定期的に登録信号を発信させるため、通信が終了しないことを認識し（ステップＳ３０３）、続いて、電池の電圧値のデジタルデータを要求する旨の信号をＡ／Ｄコンバータ１０５に送出する。Ａ／Ｄコンバータ１０５から上記デジタルデータを受け取ると、不揮発メモリ１０２に格納された規定値と比較し（ステップＳ３０４）、電圧値が規定値以上の場合、ステップＳ３０３に戻る。
【００４３】
一方、ステップＳ３０４で、電圧値が規定値より小さい場合、ＭＰＵ１０１は、フラグをセットするために、フラグ情報を不揮発メモリ１０２に格納し（ステップＳ３０５）、登録信号を発信するなど、基地局と通信する無線部１１０の動作を終了させる（ステップＳ３０６）。
【００４４】
なお、上記ステップＳ３０１で、不揮発メモリ１０２にフラグ情報が格納されている場合、ＭＰＵ１０１は、フラグがセットされていると判断し、無線部１１０の動作を終了させる（ステップＳ３０７）。
【００４５】
次に、操作者が電話をかける場合の携帯電話機の動作手順について図３を用いて説明する。なお、以下では、上述の着信待ち状態における携帯電話機の動作手順と同様な部分は、その詳細な説明を省略する。
【００４６】
図３に示したステップＳ３０２で、操作者が操作部１０７を操作して電話帳に登録した所定の番号に電話をかけると、ＭＰＵ１０１は、無線部１１０に所定の番号の情報を発信させる。その後、基地局を介して相手先の電話と通信接続され、操作者が通話を始めると、ＭＰＵ１０１は、定期的に通信が終了したかを確認する（ステップＳ３０３）。
【００４７】
ＭＰＵ１０１は、通信が終了していないことを確認する度に、電池の電圧値のデジタルデータを要求する旨の信号をＡ／Ｄコンバータ１０５に送出する。Ａ／Ｄコンバータ１０５から上記デジタルデータを受け取ると、不揮発メモリ１０２に格納された規定値と比較し（ステップＳ３０４）、電圧値が規定値以上の場合、ステップＳ３０３に戻る。
【００４８】
上記ステップＳ３０４で、電圧値が規定値より小さい場合、ＭＰＵ１０１は、フラグ情報を不揮発メモリ１０２に格納する（ステップＳ３０５）。
【００４９】
一方、ステップＳ３０３で、ＭＰＵ１０１は、通信圏外への移動による通信の異常終了、および操作者のオンフック操作による通信の正常終了などにより、通信が終了したことを確認した場合、無線部１１０の動作を終了させる（ステップＳ３０７）。
【００５０】
なお、ステップＳ３０５でフラグがセットされた後、操作者が携帯電話機を操作して発信させようとしても、フラグがセットされているため、ステップＳ３０１で無線部１１０は動作を終了し、発信できない。
【００５１】
上述のようにして、無線部１１０による動作中に定期的に電池の電圧値を測定し、電圧値が規定値より小さくなると、フラグ情報を不揮発メモリ１０２に格納するとともに、無線部１１０の動作を終了させて無線部１１０の電源をオフにしている。そのため、電話を利用できなくても、電話帳を利用して他の電話機で電話をかけることができ、スケジューラにより予定を確認することができる。
【００５２】
また、上述のようにして、無線部１１０の動作を終了させると、電池には内部抵抗が存在するため、無線部動作の分の負荷が減って電流が少なくなり、電池の電圧値が回復して規定値より大きくなる。このように電圧値が回復しても、上述のように、無線部１１０の電源をオンせずにオフ状態を維持するため、電話帳やスケジューラなどの他の機能が利用可能となる。
【００５３】
さらに、例えば、スケジューラを用いてアラームを鳴らす場合、電池の残り容量が、アラームを鳴らせても、無線部を動作できないとき、以下のようにしてアラームを鳴らすことが可能となる。アラームを鳴らす時刻をセットした後、セットした時刻になって電源がオンすると、上述したように、フラグがセットされているため、無線部を動作させないため電池の電圧値が電池切れ判定電圧まで低下することなく、スケジューラが起動し、アラームを鳴らすことができる。
【００５４】
なお、上記実施例では、フラグがセットされると無線部１１０をオフ状態に維持することとしたが、上記実施例による省電力手段だけでなく、表示部１１２に備えたバックライトの最大輝度を低くすること、および操作者による操作部１０７のボタン操作時に鳴らす確認音を鳴らさなくすることなどの手段を組み合わせてもよい。
【００５５】
【発明の効果】
本発明は以上説明したように構成されているので、以下に記載する効果を奏する。
【００５６】
本発明では、電池の電圧値が所定の値より小さくなると、フラグ情報を格納し、操作者が電話をかけようとしても、フラグ情報が格納されていれば、無線部の電源をオフ状態に維持する。そのため、電話帳やスケジューラなどの電話以外の機能が利用可能となる。
【００５７】
また、一時的に電池の電圧値が回復して規定値より大きくなっても、フラグ情報が格納されているため、無線部の電源をオフ状態に保ち、電話帳やスケジューラなどの電話以外の機能が利用可能となる。
【図面の簡単な説明】
【図１】本発明の携帯電話機の一構成例を示すブロック図である。
【図２】電源オン時における本発明の携帯電話機の動作手順を示すフローチャートである。
【図３】着信待ち状態における本実施例の携帯電話機の動作手順を示すフローチャートである。
【符号の説明】
１０１    ＭＰＵ
１０２    不揮発メモリ
１０３    電源回路
１０４    電池
１０５    Ａ／Ｄコンバータ
１０６    電源はずれ検出手段
１０７    操作部
１０８、１０９  信号線
１１０    無線部
１１２    表示部
【図１】
2004153401.tif 000003
【図２】
2004153401.tif 000004
【図３】
2004153401.tif 000005